(57)【要約】  ベルトはバネ力に抗してハウジングから引き出されることが可能であり、ベルト留め金をホルダーに挿入することでベルトの長さが固定される。
2009502372.tif 000002
【特許請求の範囲】
【請求項１】
子供用拘束ベルトであり、バネ力の抵抗に対抗してハウジングから引き出されることができ、未使用時は、前記バネ力によって前記ハウジング内に引き戻される子供用拘束ベルトであって、前記ベルト（４）は前記ハウジング（１）のレセプタクル（５）内に掛止するベルトクロージャ（３）によって固定されることができ、これにより、前記ハウジング（１）から更に引き出すことができなくなることを特徴とする子供用拘束ベルト。
【請求項２】
未使用時に、前記ベルト（４）及び前記ベルトクロージャ（３）が前記ハウジング（１）の外形から突き出ないことを特徴とする請求項１に記載の子供用拘束ベルト。
【請求項３】
前記ベルト（４）が前記ハウジング（１）の内部をループ状に又は蛇行して延在することを特徴とする請求項１又は２に記載の子供用拘束ベルト。
【請求項４】
前記クロージャ（３）がレセプタクル（５）内に掛止された後、前記ベルト（３）は前記ハウジング（１）から更に引き出されることはできないが、前記ベルト（３）は前記バネ力によって前記ハウジング（１）内に引き戻されることができることを特徴とする請求項１〜３のいずれか一項に記載の子供用拘束ベルト。
【請求項５】
前記ハウジング（１）及び前記ハウジング（１）の内部に収容された機構が、可逆的に変形可能であることを特徴とする請求項１〜４のいずれか一項に記載の子供用拘束ベルト。
【発明の詳細な説明】
【技術分野】
【０００１】
本発明は、ベビーカー、チャイルドキャリーシート、ハイチェア、又はショッピングカートにおける子供用拘束ベルトに関する。
【背景技術】
【０００２】
このタイプの拘束ベルトについては、非常に多種多様な実施形態が公知である。
【０００３】
米国特許第５２６３７２６号明細書は、子供の腹部の周り及び子供の脚の間を案内される拘束ベルトと、あまり人間工学的及び快適でない解決法とを示している。
【０００４】
更に、この拘束ベルトの不利点は、未使用時にベルト及びベルトの締め金がぶらりと周囲に垂れ下がり、何らかの部分と接近した際に引っ掛かる可能性があるということである。
【０００５】
このことは、用役価値を制限する不利な要因となる可能性があり、ベルト又はベルトの留め金に損傷が生じる場合もある。
【０００６】
ショッピングカートに取り付けられたベルトの場合、ぶらりと周囲に垂れ下がったベルトがバスケットフラップの動きを妨げる可能性もあり、その結果として、ショッピングカートを別のショッピングカートの内側に押し込んで空間を節約することも不可能になる。
【０００７】
米国特許第３３５０１３６号明細書は、チャイルドシートの背もたれに締結され、子供の上半身の周りを案内される拘束ベルトを開示している。
【０００８】
この拘束ベルトは、ローラーに巻き取られ、渦巻きバネの抵抗力に対抗してハウジングから引き出される。未使用時は、渦巻きばねの力によってベルトがハウジング内に引き戻される。
【０００９】
この拘束ベルトの場合は、ぶらりとしたベルトがどこかに引っ掛かる危険性は減少するが、ベルト用のローラー及びハウジングは分厚くなっており、これによりショッピングカートを別のショッピングカートの内側に押し込む際に障害となる場合もある。
【００１０】
米国特許第３３５０１３６号明細書から公知のベルトの更なる不利点は、子供の周囲にベルトが回されても、ベルトは適切な固定方法で固定されず、渦巻きばねの力で保持されているだけということにある。
【００１１】
これにより、子供から目を離した瞬間、子供はベルトを引っ張るだけでベルトから自由になり得、従ってさらに子供が危険にさらされ得る、という可能性が不利に生じる。
【００１２】
米国特許出願公開第２００４／００４１４５７号明細書は、ショッピングカートのハンドルバー内に場所をとらないように配置され、未使用時には、バネによってハウジング内に引き戻される拘束ベルトを開示している。
【００１３】
この従来技術は、米国特許第３３５０１３６号明細書に存在する、ベルト用ハウジングが大きくて扱いにくいという不利点を解消するものであるが、ベルトにはバネ力によって張力が加えられているだけであり、子供はベルトを引っ張ることでベルトから自由になり得るという不利点が残されたままである。
【００１４】
独国特許出願公開第１０３  ５２  ０９５  Ａ１号明細書は、子供が着座する表面に取り付けられたバネ負荷式拘束ベルトを開示している。この拘束ベルトにも、子供はベルトを引っ張ることで、ベルトから自由になり得るという不利点が見られる。更なる不利点は、拘束ベルトが硬質プレートに組み込まれているので、折畳み式のベビーカーには使用できないということである。
【発明の開示】
【発明が解決しようとする課題】
【００１５】
本発明の目的は、ベルトの長さを各子供の大きさに簡単に合わせられるようにするとともに、子供がベルトを緩めることができないようにすることにより、子供を安全に留め金で留めることを保証する拘束ベルトを提供することにある。
【００１６】
本発明の更なる目的は、ベルト及びベルトクロージャに対する損傷を回避することにある。ショッピングカートで拘束ベルトが使用される場合は、使用されていないベルトが、関連するショッピングカートの一部又は別のショッピングカートの一部に引っ掛かることにより発生する損傷を回避することもまた、本発明の目的である。
【００１７】
本発明の更なる目的は、ベビーカー、例えば、「バギー（ｂｕｇｇｙ）」の折畳み中に拘束システムが邪魔にならないように拘束システム全体の構成を設計することにある。
【００１８】
更に、拘束ベルトの配置は、人間工学的かつ快適であるべきである。
【課題を解決するための手段】
【００１９】
前述の目的は、ベルト及びベルトの自由端に取り付けられたベルトクロージャが、非動作状態においてバネの力により平坦なハウジング内に引き込まれ、ベルト及びベルトクロージャがこの状態においてハウジングの外形から突き出ない拘束システムであって、ベルトはバネの力に対抗してハウジングから引き出されることが可能であり、ハウジングから更に引き出されることが不可能なように、レセプタクルに掛止されるベルトクロージャラッチによってベルトが固定されることを特徴とする拘束システムによって達成される。
【００２０】
本発明の発展形態では、ベルトクロージャがレセプタクル内に掛止された後、ベルトはハウジングから更に引き出されることはできないが、バネ力によって引き続きハウジング内に引き戻されることができる。これにより、最初は子供の周囲で緩く回されていたベルトが、自動的に常に子供にしっかりと巻きつく。
【００２１】
本発明の発展形態では、ハウジング及びハウジングの内部に収容された機構が可逆的に変形され得るよう設計される。
【発明の効果】
【００２２】
本発明によって達成される効果は、使用者がベルトの長さを自動的に正確に設定すると、子供はベルトの長さを調整することができなくなるということであり、具体的に言うと、子供から目を離した瞬間、子供がベルトから自由になることができる程度まで子供はベルトを緩めることができない。
【００２３】
平坦で変形可能なハウジングは、特にショッピングカートを別のショッピングカートの内側に重ねる際、又はベビーカーを折り畳む際にかさばらず邪魔にならないという利点を有する。
【００２４】
本発明について、２つの可能な例示的な実施形態を参照するとともに４つの図によって以下に説明する。
【発明を実施するための最良の形態】
【００２５】
ハウジング１の構造は、実質的に平坦である。このハウジング１の幅は、平均的サイズの子供の背中の幅と実質的に同じである。ハウジング１は、その片側に溝２を有し、溝２にはベルトクロージャ３が存在している。ベルト４はその一部がわずかに見えるだけで、ベルト４の残りの部分はハウジング１内部にある。
【００２６】
ハウジング１は、溝２の反対方向に位置する他方に、ベルトクロージャ３が掛止され得る凹部５を有する。前記レセプタクル５内に、ハウジングの内部に収容された機構に連結された作動要素６を見出すことができる。
【００２７】
図２は引き伸ばされた状態にあるベルト４を示す。ベルトクロージャ３は凹部５に挿入され、その中で掛止されている。凹部５にベルトクロージャ３が掛止されると、作用要素６が横方向に移動し、ハウジング１に収容された機構を介してベルト４がブロックされる。
【００２８】
ベルトクロージャ３が凹部５内に位置している限り、作動要素６は横方向に移動したままであり、従ってベルト４は同様にブロックされる。
【００２９】
図３は、ハウジング１の内部を断面図で示す。ベルト４は、いくらか引き出されている。ベルト４は、スライド７の周りをループ状に延在している。したがって、ハウジング１内に十分な長さのベルト４を収容すると同時に、ハウジング１を平坦な構造とすることができる。
【００３０】
テンションスプリング８がスライド７に固定され、これによりベルト４をハウジング内に引き込む。ベルト４が引き出されると、スプリング８に張力が加えられる。
【００３１】
ハウジング１内に特に長いベルト４を収容すべき場合には、２つ以上のデフレクション及び２つ以上のスライド７をハウジング１内に設け、それらを介してベルト４を蛇行して延在させることもできる。
【００３２】
これにより、ベルトを巻き上げるためのかさ張るローラーを使用しなくてもよいことが有利に可能になる。
【００３３】
ハウジング１は、子供に広い接触面をもたらすように全体的に平坦な構造になっている。これにより、不快な圧力点を回避できる。
【００３４】
ハウジング１は、一般的な固定手段（例えば、ネジやクランプ）によってチャイルドシート又はショッピングカートに固定することができる。
【００３５】
図４は、ハウジング１及びハウジング１に収容された機構が変形可能な構造を有する、本発明の発展形態を示している。例えば折畳み式のベビーカー「バギー」の場合など、硬質の構造が不適切であるとしても、この発展形態により、本発明を使用することが可能になる。
【００３６】
図中では、ベルト４が引き出されている。ベルトクロージャ３が挿入され得る凹部５は、ハウジング１の反対側の領域に位置している。
【００３７】
矢印Ｐは、ベルト４の端部に取り付けられているベルトクロージャ３が、どのように凹部５に押し込まれるかを示している。
【００３８】
本発明のこの改良形態でも、前述した方法でベルト４がブロックされる。
【００３９】
ハウジング１及びハウジング１内に含まれる機構は、変形可能な構造を有する。図示した例では、ハウジング１のリブ状領域６によってこの変形性が達成されている。
【００４０】
変形を可能にするために、例えばジョイント及び／又は拡張ギャップの使用など、当業者にとって一般的な他の任意の他の方法を使用することも可能である。
【００４１】
発明の実施形態
用途に応じて、本発明は前述の実施形態で使用され得る。
【産業上の利用可能性】
【００４２】
本発明は、ショッピングカート、チャイルドシート、ベビーカー、及び折畳み式ベビーカーといった広範な製品分野において産業上の利用可能性がある。
【図面の簡単な説明】
【００４３】
【図１】未使用中のシートベルトを斜視図で示す。
【図２】使用中のシートベルトを斜視図で示す。
【図３】シートベルトを断面図で示す。
【図４】可撓性ハウジングを有する本発明の発展形態を示す。
【図１】
2009502372.tif 000003
【図２】
2009502372.tif 000004
【図３】
2009502372.tif 000005
【図４】
2009502372.tif 000006
【国際調査報告】
2009502372.tif 000007
2009502372.tif 000008
2009502372.tif 000009
2009502372.tif 000010
2009502372.tif 000011
2009502372.tif 000012